(57)【要約】【課題】  事故が発生した時に保険加入者が自分が加入している保険会社やその事故連絡先窓口の電話番号等を覚えていなくとも事故発生の報告を行え、所定の情報を送るだけで保険会社に対して事故報告書の提出が行えるようにする。【解決手段】  保険加入者の電話番号又はメールアドレスを記憶する保険加入者情報記憶部１１と、保険会社の連絡先情報を含む保険会社情報及び、報告書のフォーマットデータを記憶する保険会社情報記憶部１２と、保険加入者からの電話又は電子メールによる事故発生の連絡を受け付け、その際の電話番号又はメールアドレスを抽出する受付部１５と、抽出された電話番号又はメールアドレスに基づいて、保険加入者が加入している保険会社を特定し、特定した保険会社の連絡先情報及び報告書フォーマットデータとを上記保険加入者の端末に送信する送信部１６を有することとした。【選択図】  図２
2006190055.tif 000002
【特許請求の範囲】
【請求項１】
保険加入者が保有する端末と通信可能に構成された装置であって、
保険加入者の電話番号又はメールアドレスを記憶する保険加入者情報記憶手段と、
保険会社の連絡先情報を含む保険会社情報及び、報告書のフォーマットデータを記憶する保険会社情報記憶手段と、
上記保険加入者からの電話又は電子メールによる事故発生の連絡を受け付け、その際の電話番号又はメールアドレスを抽出する受付手段と、
上記保険加入者情報記憶手段を参照して上記抽出された電話番号又はメールアドレスに基づいて、当該保険加入者が加入している保険会社を特定し、上記保険会社情報記憶手段を参照して特定した保険会社の連絡先情報を抽出し、抽出した連絡先情報及び報告書フォーマットデータとを上記保険加入者の端末に送信する送信手段と、
を有することを特徴とする事故報告処理装置。
【請求項２】
上記保険加入者の端末から送信され、上記保険加入者が撮影した事故現場の写真データを含む事故報告内容を受付ける報告内容受付手段と、
受付けた事故報告内容から、保険会社に提出する事故報告書を作成する事故報告書作成手段と、
作成した事故報告書を出力する出力手段と、
を有する請求項１記載の事故報告処理装置。
【請求項３】
上記出力手段は、作成された事故報告書を保険会社の装置に対して通信を介して送信する、
請求項２記載の事故報告処理装置。
【請求項４】
上記受付けた事故報告内容を見積者が確認できるように所定のディスプレイに表示出力させると共に、上記見積者が見積もった事故の損害額の見積もり入力を受け付け、受付けた見積もりを上記保険加入者の端末に送信して、保険加入者に承認要求を行う見積処理手段をさらに有する、
請求項２又は３記載の事故報告処理装置。
【請求項５】
上記見積処理手段は、上記保険加入者が見積内容を確認して、事故報告書を保険会社に提出する旨の指示を受け付け、
上記事故報告書作成手段は、上記保険加入者からの提出指示に応じて、上記見積内容に基づいた事故報告書を作成し、
上記出力手段は、作成された事故報告書を出力する、
請求項４記載の事故報告処理手段。
【請求項６】
上記受付けた見積もり情報を記憶する見積履歴データベースをさらに有し、
上記見積処理手段は、上記見積者又は保険加入者からの要求に応じて、上記見積履歴データベースに記憶されている過去の見積情報を提供する、
請求項４記載の事故報告処理装置。
【請求項７】
上記保険加入者に対して、保険金の支払い対象となる事故の情報と共に、事故報告受け付け先の電話番号又は電子メールアドレスなどの連絡先情報含む電子メールを配信する電子メール配信手段をさらに有する、
請求項１〜６のいずれかの項に記載の事故報告装置。
【請求項８】
上記保険加入者の端末は、撮影装置付移動通信端末である、
請求項１〜７のいずれかの項に記載の事故報告装置。
【請求項９】
保険加入者が保有する端末と通信可能に構成され、  保険加入者の電話番号又はメールアドレスを記憶する保険加入者情報記憶手段と、保険会社の連絡先情報を含む保険会社情報及び報告書のフォーマットデータを記憶する保険会社情報記憶手段を有するコンピュータにより実行される方法であって、
上記コンピュータが、
上記保険加入者からの電話又は電子メールによる事故発生の連絡を受け付け、その際の電話番号又はメールアドレスを抽出する処理と、
上記保険加入者情報記憶手段を参照して上記抽出された電話番号又はメールアドレスに基づいて、当該保険加入者が加入している保険会社を特定し、上記保険会社情報記憶手段を参照して特定した保険会社の連絡先情報を抽出し、抽出した連絡先情報及び報告書フォーマットデータとを上記保険加入者の端末に送信する処理と、
を行うことを特徴とする事故報告処理方法。
【請求項１０】
保険加入者が保有する端末と通信可能に構成され、  保険加入者の電話番号又はメールアドレスを記憶する保険加入者情報記憶手段と、保険会社の連絡先情報を含む保険会社情報及び報告書のフォーマットデータを記憶する保険会社情報記憶手段を有するコンピュータを保険情報処理装置として機能させるコンピュータプログラムであって、
上記コンピュータに対して、
上記保険加入者からの電話又は電子メールによる事故発生の連絡を受け付け、その際の電話番号又はメールアドレスを抽出する処理と、
上記保険加入者情報記憶手段を参照して上記抽出された電話番号又はメールアドレスに基づいて、当該保険加入者が加入している保険会社を特定し、上記保険会社情報記憶手段を参照して特定した保険会社の連絡先情報を抽出し、抽出した連絡先情報及び報告書フォーマットデータとを上記保険加入者の端末に送信する処理と、
を実行させるコンピュータプログラム。
【発明の詳細な説明】
【技術分野】
【０００１】
本発明は、保険加入者が保険会社に対して事故報告書を提出するための処理を行う技術に関するものであり、特に小額の損害について保険加入者自身が保険会社に保険金の請求を行うシステムに好適な技術に関する。
【背景技術】
【０００２】
損害保険加入者等が、損害保険金の支払いを請求する場合、加入している保険会社に対して事故の連絡を行ったうえで、現場写真などを撮影して保険会社に事故報告書を提出する必要ある。このような事故報告書の提出は、小額の損害（例えば、住宅総合保険加入者が自宅の窓ガラスを割ってしまった場合）でも、同様に事故報告書を保険会社に提出する必要がある。
このような場合、従来はまず保険加入者が、加入している保険証書などを見て、加入している保険会社に電話などで事故発生の第一報を入れると共に、修理業者に修理費用の見積もりを依頼し、その見積もり額及び、現場写真などを添付した事故報告書を作成して保険会社に郵送していた。
【０００３】
また、上述のような事故報告書を作成したり、また事故現場を調査する専門の調査会社の作業をシステム化するためにいくつかのシステムが提案されている。
その一つとして、調査会社等からの事故報告を処理するシステムとして、オペレータがオペレータ端末から入力した、事故 現場の顧客からの通報により聴取した事故の情報から、調査会社等の現場急行担当者がモバイル端末で参照可能な事故情報を生成して、その後にモバイル端末から入力される現場急行担当者の調査結果と共にＤＢサーバに格納させ、その後にスケジューラがスケジューラ端末を用いて検収した現場急行担当者の調査結果と、オペレータによる顧客からの聴取内容とをリンクさせた情報を、最終的な受付事故の処理を行う担当者に引き継ぐまでの前段階の調査、処理を担当する初動担当が行えるようにしたシステムが提案されている（例えば、先行文献１）。
【０００４】
また、別の交通事故に遭遇したユーザを支援するシステムとして、相談者のユーザ端末２とサービス機関のサーバ３とがネットワーク４を介して送受信可能に接続され、ユーザ端末には、交通事故に遭遇した際の対処に関する支援をサーバに要求する支援要求手段が備えられ、サーバには、交通事故の状況に応じた対処すべき事項を対処情報として記憶する対処情報記憶手段と、ユーザ端末との間で、応答式で情報を送受信することにより、相談者の事故の状況を把握し、ユーザ端末毎に前記対処情報を選んで送信する支援手段とを備え、事故処理に不慣れな者でも、漏れや間違いなく簡単に事故時の対処が可能となるよう支援することができる事故対応システムが提案されている（例えば、先行文献２）。
【０００５】
またさらに別のシステムとしては、保険会社ＰＣからの調査依頼に対して、調査サーバが、現場外注先ＰＣに調査指示を鑑定事務所ＰＣに鑑定指示を送信し、現場外注先で撮影された事故画像データを画像センタサーバに送信して記憶させ、鑑定事務所ＰＣが画像センタサーバにアクセスして画像データ、医療所見、過去の調査レポートを参照して作成した鑑定レポートを画像センタサーバに送信して記憶させ、画像センタサーバから鑑定レポートを調査サーバに提供し、調査会社で総合調査レポートが作成され、その総合調査レポートを調査サーバから保険会社ＰＣに提供する事故報告書提供システムが提案されている（例えば、先行文献３）。
【０００６】
【特許文献１】特開２００４−１２６８０７
【特許文献２】特開２００４−８６８４４
【特許文献３】特開２００３−１４１２４３
【発明の開示】
【発明が解決しようとする課題】
【０００７】
しかし、保険加入者が自分がどこの保険会社のどのような保険に加入しているのか、また加入している保険会社の事故発生時の連絡先などの情報は、常時持っていないことが多い。そのため、事故が発生してから保険会社の連絡先の電話番号をいちいち調べる必要があり、連絡をするのに手間がかかってしまうという問題があった。このような問題は、特に、小額の保険金を請求する場合には、これを調査して事故報告する時間や手間を考えると、保険金の請求をあきらめてしまうことが多くなっていた。
【０００８】
また、保険加入者が自身で事故報告書を提出しようとしても、どういう情報を取得してよいか分からないため、十分な報告書を作成することができなかった。
特に、事故の損害の見積もりについては、専門の修理業者等に依頼しなければその見積もりをすることができないため、自分で専門の業者を選定して見積もり依頼を行っていると、その選定に手間取るばかりか、見積もりに必要な情報などが十分に提供できないなどの問題があった。
【０００９】
さらに、事故報告書を作成するだけでなく、これを保険会社に郵送する必要があるため、保険加入者にとっては非常にわずらわしく、特に小額の保険金の請求の場合には、保険金請求をあきらめてしまうことが多かった。
【００１０】
また、事故が発生した場合、その事故が保険の対象となり、保険金を請求できる事故なのかどうか分からず、結局保険金の請求を行わない場合が多くなってしまうという問題があった。
【００１１】
さらに、上述の先行文献１及び先行文献３のシステムでは、専門の調査会社等の担当者が現場に行って調査すること前提としたシステムであり、一般の保険加入者がそれぞれ加入している保険会社への事故発生の報告や、事故報告書を作成する際の支援を行うものではないため、特に小額の保険金の請求には適さないシステムであった。また、先行文献２のシステムでは事故発生時の対処方法に関する情報は提供してくれるが、その後の事故報告書の作成や提出などについては、まったく対処してくれないという問題があった。
【００１２】
本発明は、上述の課題を解決するためになされたものであって、事故が発生した時に保険加入者が自分が加入している保険会社やその事故連絡先窓口の電話番号等を覚えていなくとも、事故発生の報告をワンストップで行えるようにすると共に、所定の情報を送るだけで保険会社に対して事故報告書の提出も行えるようにした仕組みを提供することを目的とする。特に、小額な保険金額であっても、保険加入者が簡単な手続きで保険金を請求することに好適な仕組みを提供することを目的とする。
【課題を解決するための手段】
【００１３】
上記目的を達成するため、本発明の一の観点にかかる事故報告処理装置は、保険加入者が保有する端末と通信可能に構成された装置であって、保険加入者の電話番号又はメールアドレスを記憶する保険加入者情報記憶手段と、保険会社の連絡先情報を含む保険会社情報及び、報告書のフォーマットデータを記憶する保険会社情報記憶手段と、上記保険加入者からの電話又は電子メールによる事故発生の連絡を受け付け、その際の電話番号又はメールアドレスを抽出する受付手段と、上記保険加入者情報記憶手段を参照して上記抽出された電話番号又はメールアドレスに基づいて、当該保険加入者が加入している保険会社を特定し、上記保険会社情報記憶手段を参照して特定した保険会社の連絡先情報を抽出し、抽出した連絡先情報及び報告書フォーマットデータとを上記保険加入者の端末に送信する送信手段とを有することを特徴とする。
【００１４】
また、上記保険加入者の端末から送信され、上記保険加入者が撮影した事故現場の写真データを含む事故報告内容を受付ける報告内容受付手段と、受付けた事故報告内容から、保険会社に提出する事故報告書を作成する事故報告書作成手段と、作成した事故報告書を出力する出力手段とを有してもよい。
【００１５】
また、上記出力手段は、作成された事故報告書を保険会社の装置に対して通信を介して送信するようにしてもよい。
また、上記受付けた事故報告内容を見積者が確認できるように所定のディスプレイに表示出力させると共に、上記見積者が見積もった事故の損害額の見積もり入力を受け付け、受付けた見積もりを上記保険加入者の端末に送信して、保険加入者に承認要求を行う見積処理手段をさらに有してもよい。
【００１６】
上記見積処理手段は、上記保険加入者が見積内容を確認して、事故報告書を保険会社に提出する旨の指示を受け付け、上記事故報告書作成手段は、上記保険加入者からの提出指示に応じて、上記見積内容に基づいた事故報告書を作成し、上記出力手段は、作成された事故報告書を出力するようにしてもよい。
【００１７】
また、上記受付けた見積もり情報を記憶する見積履歴データベースをさらに有し、上記見積処理手段は、上記見積者又は保険加入者からの要求に応じて、上記見積履歴データベースに記憶されている過去の見積情報を提供するようにしてもよい。
【００１８】
上記保険加入者に対して、保険金の支払い対象となる事故の情報と共に、事故報告受け付け先の電話番号又は電子メールアドレスなどの連絡先情報含む電子メールを配信する電子メール配信手段をさらに有してもよい。
また、保険加入者の端末は、撮影装置付移動通信端末であってもよい。
【００１９】
本発明の一の観点にかかる事故報告処理方法は、保険加入者が保有する端末と通信可能に構成され、保険加入者の電話番号又はメールアドレスを記憶する保険加入者情報記憶手段と、保険会社の連絡先情報を含む保険会社情報及び報告書のフォーマットデータを記憶する保険会社情報記憶手段を有するコンピュータにより実行される方法であって、上記コンピュータが、上記保険加入者からの電話又は電子メールによる事故発生の連絡を受け付け、その際の電話番号又はメールアドレスを抽出する処理と、上記保険加入者情報記憶手段を参照して上記抽出された電話番号又はメールアドレスに基づいて、当該保険加入者が加入している保険会社を特定し、上記保険会社情報記憶手段を参照して特定した保険会社の連絡先情報を抽出し、抽出した連絡先情報及び報告書フォーマットデータとを上記保険加入者の端末に送信する処理とを行うことを特徴とする。
【００２０】
本発明の一の観点にかかるコンピュータプログラムは、保険加入者が保有する端末と通信可能に構成され、  保険加入者の電話番号又はメールアドレスを記憶する保険加入者情報記憶手段と、保険会社の連絡先情報を含む保険会社情報及び報告書のフォーマットデータを記憶する保険会社情報記憶手段を有するコンピュータを保険情報処理装置として機能させるコンピュータプログラムであって、上記コンピュータに対して、上記保険加入者からの電話又は電子メールによる事故発生の連絡を受け付け、その際の電話番号又はメールアドレスを抽出する処理と、上記保険加入者情報記憶手段を参照して上記抽出された電話番号又はメールアドレスに基づいて、当該保険加入者が加入している保険会社を特定し、上記保険会社情報記憶手段を参照して特定した保険会社の連絡先情報を抽出し、抽出した連絡先情報及び報告書フォーマットデータとを上記保険加入者の端末に送信する処理とを実行させることを特徴とする。
【発明の効果】
【００２１】
本発明によれば、会員は自分が加入している保険会社やその保険会社の事故受付窓口の電話番号などを覚えておかなくとも、事故情報処理装置へ連絡するだけで簡単に保険会社の事故報告先や、事故報告フォーマットを取得することができる。したがって、会員は事故情報処理装置の連絡先だけを覚えておけばよいから、自動車保険、住宅総合保険、火災保険など複数の保険に加入していたとしても、なにか事故が起きたときはすべて事故情報処理装置へ連絡すればよいこととなり、非常に簡単かつ便利となる。
【００２２】
また、事故情報処理装置側で報告書を作成してくれるため、煩わしかった報告書の作成を行わなくてすむし、またその報告書作成にあたっても事故情報処理装置から要求された報告内容のフォーマットにしたがって報告すればよいから、簡単に事故報告書を作成することができる。そのため、特に、従来手間がかかるため保険金の請求をしていなかった小額の事故であっても、会員は簡単に保険金を請求することができるようになる。
【００２３】
また、事故情報処理装置から保険会社へ事故報告書を送信するようにしたことから、会員は事故報告書を郵送する手間がなくなるし、また保険会社としても事故報告書を電子的に処理することができ、作業効率を高めることができる。
【００２４】
また、事故情報処理装置側でまとめて見積もりを行うようにしたことから、会員側でいちいち業者を探して見積もりを依頼する必要がなく、会員は現場写真などの事故内容を報告するだけでよいから、手間が省け、非常に効率的に事故報告書を作成することができる。
【００２５】
また、見積内容を一旦会員に確認してから保険会社へ提出するようにしたことから、従来のように業者や調査会社などが一方的に決めるのではなく、会員が納得した金額で損害額を算定することができる。
【００２６】
また、見積内容を見積履歴記憶手段に記憶しておくようにしたことから、事故情報処理装置側で見積もりを行う場合に過去のデータを参照して見積もりを行うことができるし、また過去の見積内容をを会員が参照することで、これから報告を行う事故に対する大体の損害額を予測することができる。
【００２７】
また、メール配信手段により、会員に対して、保険金の支払い対象となる事故の情報と共に、事故情報処理装置の事故報告受け付け先の電話番号又は電子メールアドレスなどの連絡先情報含む電子メールを配信するようにしたことから、どのような事故が実際に保険金支払いの対象となっているかを会員が普段から知ることができる。また、事故が発生したときは、このメールに記載されている事故情報処理装置の連絡先に連絡すればよいから、別途事故情報処理装置への連絡先を控えておく必要がなく、いざというときに連絡先を忘れてしまうことを防止できる。
【００２８】
また、会員の撮影装置付き携帯電話端末で事故現場を撮影し、携帯電話端末から事故内容の報告ができるようにしたことから、事故現場で即位時に事故報告をすることができる。
【発明を実施するための最良の形態】
【００２９】
以下、本発明の一実施の形態を図面を参照して説明する。
図１に本実施形態の全体構成を示す。図１において、センタ装置１と、このセンタ装置１と携帯電話網及びインターネットなどを介して接続可能に構成された保険加入者である会員が保持するカメラ付きの携帯電話端末２と、電話回線、インターネットなどの所定の通信を介してセンタ装置１に接続可能に構成された保険会社装置３及び修理業者端末４から構成されている。
【００３０】
この会員が保持するカメラ付きの携帯電話端末２は、携帯電話としての通信機能を有するほか、インターネットに接続してパケットデータの送受信や電子メールの送受信ができるようになっている。また、携帯電話端末２は、撮影装置としてのカメラ（ＣＣＤカメラ）を搭載しており、撮影した画像データをＪＰＥＧ、ＧＩＦなどの所定の形式の画像データとして記憶し、これをパケット通信又は電子メールで送信できるようになっている。
また、この携帯電話端末２は、その携帯電話網の基地局等の設定により、当該携帯電話端末２の電話番号が相手に対して通知される、所為発信電話番号通知の設定がされている。
【００３１】
保険会社装置３は、保険会社が保持するコンピュータ装置であって、センタ装置１からの事項報告書データを受付け、保険会社内で受信したデータを記憶、出力等することで保険金支払い等の処理を行う装置である。この保険会社装置３は、保険会社ごとにそれぞれ設けられており、センタ装置１はこれら複数の保険会社の保険会社装置３と通信可能に構成されている。
【００３２】
修理業者端末４は、保険の対象となっている物の修理等を行う修理業者のコンピュータ端末である。この修理業者は、例えば、家のリフォーム業者、車の修理工場だけでなく、床やカーペットなどのクリーニング業者、ガラス・カーテンなどのクリーニング及びこれら物の販売業者などを含むものである。
この修理業者端末４は、センタ装置１からの見積もり依頼を受付け、センタ装置１に対して見積もり情報を送信する処理を行うことができるようになっている。この処理は、電子メールや所定のデータ通信により行うことができる。また、センタ装置１を介して、会員からの修理要求を受付けることもできる。
【００３３】
センタ装置１は、本発明にかかる事故報告処理装置を構成する。このセンタ装置１はコンピュータにより構成され、ＣＰＵ（Ｃｅｎｔｒａｌ  Ｐｒｏｃｅｓｓｉｎｇ  Ｕｎｉｔ）、ＣＰＵが実行するコンピュータプログラム、このコンピュータプログラムや所定のデータ等を記憶するＲＡＭなどの内部メモリ及び、ハードディスクドライブなどの外部記憶装置により図２に示した機能ブロックを構成する。
図２に示した機能ブロックは、会員データベース（ＤＢ）１１、保険会社データベース（ＤＢ）１２、見積履歴データベース（ＤＢ）１３、メール配信部１４、事故報告受付部１５、事故対応情報処理部１６、報告内容受付部１７、見積処理部１８、報告書作成処理部１９、出力処理部２０から構成されている。
【００３４】
会員データベース１１は、本サービスに加入している会員（保険加入者）に関する情報をデータベース化したものである。この会員データベース１１には、図３に示すように会員ＩＤ、電話番号、個人情報、加入保険情報が記憶できるようになっている。
会員ＩＤは、会員を一意に識別するための識別情報であって、会員の入会時にセンタ装置１側で付与したものである。また同時に本人認証のためのパスワードを記憶することができる。これら会員ＩＤ及びパスワードは、数字、アルファベットなどの所定の文字又はこれらの組み合わせにより構成することができる。
電話番号は、会員が保持している携帯電話端末２の電話番号である。この電話番号は１つとは限らず、複数の電話番号を登録することも可能である。
個人情報は、会員個人に関する情報であって、個人の氏名、住所、電子メールアドレス、自宅の電話・ＦＡＸ番号などの情報が含まれる。
加入保険情報は、会員が加入している保険会社名、支店名、住所、電話番号、担当者などの情報である。
【００３５】
保険会社データベース１２は、保険会社に関する情報をデータベース化したものである。この保険会社データベース１２には、図４に示すように、保険会社ＩＤ、保険会社情報、保険約款情報、報告書フォームデータが記憶できるようになっている。
保険会社ＩＤは、保険会社を一意に識別するための識別情報であって、保険会社を登録する際にセンタ装置１側で付与したものである。保険会社ＩＤは、数字、アルファベットなどの所定の文字又はこれらの組み合わせにより構成することができる。また、保険会社ＩＤは、保険会社の支店、支所ごとに付与するようにしてもよい。
保険会社情報は、保険会社に関する情報である。この保険会社情報としては、保険会社名、支店・支所名、それぞれの保険会社の事故発生窓口の電話番号などの連絡先情報が含まれる。
保険約款情報は、当該保険会社が取り扱っている保険商品及びその約款の情報である。
【００３６】
報告書フォームは、保険会社に対して事故報告を行う際の事故報告書の雛形である。この事故報告書の一例を図５に示す。図５に示すように事故報告書としては、提出日、保険加入者情報欄５１、事故報告欄５２、保険会社情報欄５３、通信方法欄５４、備考欄５５から構成されている。
保険加入者情報欄５１には、加入者（会員）の氏名、住所を入力欄がある。事故報告欄５２には事故発生日、発生時刻、事故発生場所、事故内容、届出警察署情報、発生状況などの入力欄がある。なお、届出警察署などは事故の種類によっては入力する必要がない。保険会社情報欄５３には保険会社名、支店名、住所、電話番号、保険担当者名などの入力欄がある。通信方法欄５４は会員と連絡を取る際の通信方法を選択する欄で、電話、ＦＡＸ、メール、郵送、その他から選択入力できるできるようになっている。
そして、事故報告書フォームには、携帯電話端末２のカメラで撮影した事故現場の写真データが添付され、これにより事故報告書が完成する。この写真データは携帯電話端末２のＣＣＤカメラ等で撮影した写真画像データをＪＰＥＧやＧＩＦなどの所定形式のデータとして添付される。
なお、事故報告書は保険会社から指定がある場合には、個別報告フォームを記憶しておくことができるが、特に指定がない場合には各保険会社で統一された同じ報告書フォームを記憶しておくことができる。
【００３７】
見積履歴データベース１３は、事故に対する損害額の見積もり履歴をデータベース化したものである。この見積履歴データベース１３には、図６に示すように発生年月日、住宅保険・自動車保険などの保険の種別、事故内容、見積額、保険金を支払った保険会社情報が記憶できるようになっている。なお、見積額は実際に支払われた保険金額であってもよい。また、このほかに支払われた会員の会員ＩＤを記憶するようにしてもよく任意である。
【００３８】
メール配信部１４は、会員に対して、保険金の支払い対象となる事故の情報と共に、事故報告受け付け先の電話番号又は電子メールアドレスなどの連絡先情報含む電子メールを、メーリングリストにより配信する処理を行う。この配信は、メール配信部１４が、会員データベース１１に記憶されている会員のメールアドレスに基づいて、定期的又は不定期に配信を行う。
また、配信を行う情報は、センタ装置１側で入力してもよいし、見積履歴データベース１３に記憶されているデータを抽出して、過去の事例を配信するようにしてもよい。
この配信メールとしは、図７に示すように、保険金の支払い対象となる事故の情報７０１と、事故報告受け付け先の電話番号又は電子メールアドレスなどの連絡先情報７０２から構成されている。したがって、会員が事故にあった時には、この連絡先情報７０２に記載されている電話番号等を見てセンタ装置１に通報すればよい。
【００３９】
事故報告受付部１５は、会員（保険加入者）からの携帯電話端末２からの事故発生の連絡を受け付け、その携帯電話の電話番号を抽出する処理を行う。
この電話番号の抽出処理は、事故報告受付部１５が、発信者者番号通知により通知された携帯電話装置２の電話番号を受信することにより行う。
【００４０】
事故対応情報処理部１６は、会員データベース１１を参照して、抽出された電話番号に基づいて、当該会員が加入している保険会社を特定する処理を行う。
また、事故対応情報処理部１６は、保険会社データベース１２を参照して、保険会社の連絡先情報を特定し、特定した連絡先情報と、当該保険会社の事故報告書フォーマットデータを会員の携帯電話端末２に送信する処理を行う。
【００４１】
報告内容受付部１７は、会員が事故報告フォーマットに基づいて入力した事故報告を受付ける処理を行う。この事故報告はテキストデータ又は所定のファイル形式のデータとして受信することができる。また、この際、報告内容受付部１７は、会員の携帯電話端末２から送信された事故現場の写真データをあわせて受信する。
【００４２】
見積処理部１８は、受信した事故現場の写真を含む事故報告書の内容を所定のディスプレイに表示して、担当者等からの損害の見積もり内容の入力を受付ける処理を行う。具体的には、センタ装置１側の担当者が表示された事故内容をディスプレイ上で確認して、その内容に基づいた損害金額の見積もりを行い、見積金額をキーボードなどを用いて入力することができる。この際、見積担当者から過去の見積内容の検索要求がされた場合には、見積処理部１８が見積履歴データベース１３を参照して、検索条件（例えば、保険の種別）に合致した過去の見積情報を抽出してディスプレイに表示するようになっている。
また、必要がある場合には、見積処理部１８は、受信した事故報告書の内容を修理業者端末４に送信して見積もり依頼を行う。
そして、見積内容の入力が完了すると、見積処理部１８は、見積内容を会員の携帯電話端末２に送信して、見積もりの確認要求の処理を行う。
【００４３】
報告書作成処理部１９は、受付けた事故報告内容及び会員に承認を受けた見積もり内容から、保険会社に提出する事故報告書を作成する処理を行う。
この保険会社に提出する事故報告書は、会員から提出された事項報告内容に基づいて事故報告書を作成すると共に、会員が撮影した現場写真と見積書を添付することで、最終的な事故報告書が作成される。
【００４４】
出力処理部２０は、作成された事故報告書をネットワークを介して保険会社装置３へ送信する処理を行う。この送信は、インターネットなどの所定のネットワークを介して行ってもよいし、また保険会社装置３とＶＰＮ（Virtual  Private  Network）接続して送信してもよい。
【００４５】
次に、本実施形態のシステム全体の処理の流れについて図８を参照して説明する。
図８において、まず事前登録としてセンタ装置１が保険会社の情報を登録して保険会社情報データベース１３に記憶する。この保険会社情報登録の際には、保険会社の事故連絡先窓口の電話番号などを含む保険会社情報、当該保険会社が取り扱っている保険商品の保険約款情報、また事故報告書フォーマットデータを登録し、センタ装置１が各保険会社の情報に対して保険会社ＩＤを付与する。
なお、この登録は、保険会社装置３から行ってもよいし、またセンタ装置１側でキーボードなどにより入力したり、ファイルを取り込むことにより登録処理を行うことができる。
【００４６】
また同様に事前登録として、会員から本サービスの会員登録の申し込みを受けて、その会員情報を会員データベース１１に記憶する。この際、会員の携帯電話端末２の電話番号、氏名、住所、パスワードなどの個人情報、加入保険会社の情報などを登録し、センタ装置１が各会員に対して会員ＩＤを発行する。
なお、この個人情報の登録処理は、例えば、ＦＡＸシートで加入している保険証書又は保険証書の内容を記載した会員登録用紙をセンタ装置１へＦＡＸ送信し、これをセンタ装置１側でＯＣＲにより読み込み、又は担当者が入力することで会員登録処理を行うようにしてもよい。また、保険証書の内容等を電子メール、インターネットを介して送信することで登録処理を行うようにしてもよい。
【００４７】
また、日常的にはセンタ装置１のメール配信部１４が、定期的又は不定期に保険に関する電子メールを会員の携帯電話端末２に対して配信するサービスを行う。
これにより、会員は保険に関する情報や、どのような事故に対して保険金が支払われたかを知ることができ、自分に起こった事故が保険の対象になるかどうかを判断するときの材料となる。
【００４８】
会員登録等が完了した状態で、事故が発生すると会員が携帯電話端末２でセンタ装置１に対して電話をして事故発生通知を行う（Ｓ１）。
会員が電話する電話番号は、メール配信部１４により配信された電子メール内に記載されているセンタ装置１の受付電話番号である。これにより、会員の加入している保険会社がどこの保険会社であろうと、すべて同じセンタ装置１の電話番号に電話することになる。
【００４９】
事故発生通知があると、センタ装置１は、会員が加入している保険会社の事故受付電話番号を含む加入保険会社情報と、事故内容の報告書フォーマットを、電子メール等で会員の携帯端末２へ送信する（Ｓ２）。
【００５０】
会員は送信された保険会社の事故受付電話番号をみて、携帯電話端末２から保険会社へ事故発生の通知を電話で行う（Ｓ３）。これにより、保険会社では、会員（保険加入者）に事故が発生したことの第一報をうけることができる。これにより、保険会社は、会員（保険加入者）から事故報告書が送られてくるのを待っている状態となる。
【００５１】
また、会員は、携帯電話端末２が搭載しているカメラ（ＣＣＤカメラ）で事故現場の写真を撮影するとともに、送られた報告書フォーマットに所定の内容を記入して、撮影した写真データと併せて事故内容をセンタ装置１へ送信する（Ｓ４）。
【００５２】
センタ装置１側では受信した事故内容を見て、損害額（保険金）の見積もりを行い、これを会員の携帯電話端末２へ送信して、送信した見積金額でよいか否かの承認要求を行う（Ｓ５）。
なお、この際、必要に応じてセンタ装置１から修理業者端末４に対して、修理見積もりの問合せをするようにしてもよい。この際には、センタ装置１から事故内容を修理業者端末４に送信して見積もり依頼を行うこととなる。
【００５３】
この確認要求に対して、会員が携帯電話端末２から見積内容の承認通知をセンタ装置１に通知すると（Ｓ６）、センタ装置１は会員からの写真を含む事故内容及び見積額から保険会社に提出する事故報告書データを作成し、これをインターネット等を介して保険会社装置３へ送信する（Ｓ７）。
これにより、事故報告手続きが完了し、その後は、保険会社から事故の被害者、加害者（会員）に対して示談書等が郵送され、示談が完了することにより保険会社から損害見積に基づいた保険金が支払われることになる。
【００５４】
次に、上記実施形態におけるセンタ装置１の詳細な処理について図９を参照して説明する。図９において、会員が事故を起こしてセンタ装置１に電話連絡をすると、まず、事故報告受付部１５が、会員の携帯電話端末２から事故発生通知を受信すると、携帯電話網の基地局からの発信電話番号通知により通知された携帯電話端末２の電話番号を受信する（Ｓ１０１）。
【００５５】
事故対応情報処理部１６は、会員データベース１１の登録されている電話番号を参照して、受信した携帯電話番号から発信者である会員を特定し、当該会員が加入している保険の保険会社ＩＤを抽出する（Ｓ１０２）。
事故対応情報処理部１６は、保険会社データベース１２を参照して、会員が加入している保険会社ＩＤに基づいて、当該保険会社の事故連絡先電話番号、登録されている事故報告フォーマットを抽出し（Ｓ１０３）、抽出した事故連絡先電話番号及び事故報告フォーマットを会員の携帯電話端末２へ送信する（Ｓ１０４）。
【００５６】
この際、会員の携帯電話端末２に表示される画面の一例を図１１に示す。図１１に示すように、まず先頭に事故連絡情報２０１が表示され、会員が加入している保険会社の連絡先電話番号が表示され、ＴＥＬボタン２０２を指示することで当該電話番号に発信するようになっている。そして、事故内容報告として、保険会社への事故連絡が済んだか否かのチェック欄２０３が設けられ、その後に会員ＩＤ、パスワード、事故発生年月日などの事故の状況説明欄２０４が設けられている。この事故状況説明欄の記入欄は、図５に示した事故報告書の記入欄に対応した項目が設けられている。
そして、入力が完了すると、送信ボタン２０５を指示することで、入力された内容がセンタ装置１へ送信される。また、報告しない場合にはキャンセルボタン２０６を指示することで処理が中止されるようになっている。
【００５７】
また、事故現場写真を送る画面を図１２に示す。現場写真送信画面２１０は、写真画像ファイルを添付する添付欄２１１、そして写真の内容を説明する説明欄２１２が設けられている。なお。この説明欄２１２の記入は任意である。そして、写真を添付して送信ボタン２１３を指示することで、入力された内容がセンタ装置１へ送信される。また、報告をしない場合にはキャンセルボタン２１４を指示することで処理が中止される。
なお、図１１、図１２の例では写真送信画面が別画面となっている例に付いて説明したが、図１１及び図１２の画面を１画面としてもよい。
【００５８】
会員が携帯電話端末２で撮影した事故現場写真を含む事故報告内容を送信すると、報告内容受付部１７が事故現場写真を含む事故報告内容を受信して、メモリ等に一時的に記憶する（Ｓ１０５）。
そして、報告内容受付部１７は、受信した事故報告内容の入力項目及び写真データのチェックを行う（Ｓ１０６）。このチェックは、事故報告フォーマットの入力欄すべてに入力があるか否か、保険会社への連絡がされているか否か、また事故現場の写真が添付されているか否かのチェックを行う。
チェックの結果、適正でない（ＮＧ）の場合には、会員の携帯電話端末２に対して再送要求を行い（Ｓ１０７）、処理を終了する。この再送要求に基づいて再送された場合には、上述のＳ１０５の処理から繰り返されることになる。
【００５９】
Ｓ１０６のチェックの結果、適正である（ＯＫ）の場合には、見積処理部１８が報告内容を所定のディスプレイに表示させて、センタ装置１側の担当者に対して、当該事故に対する損害（保険金）の見積金額の入力を要求する（Ｓ１０８）。
この際、担当者が修理業者への見積もり依頼が必要と判断した場合には、見積処理部１８が修理業者端末４に対して報告内容を送信して見積もり依頼を行うこととなる。
【００６０】
見積金額が入力されると、見積処理部１８は入力された見積もり内容を、会員の携帯電話端末２へ送信して、見積もり内容確認要求を行う（Ｓ１０９）。
携帯電話端末２に表示される見積もり確認画面の例を図１３に示す。図１３に示した見積もり確認画面２２０は、最初に説明文が記載され、その後入力された見積金額表示欄２２１、見積金額の内訳などを表示する説明欄２２２が設けられている。なお説明欄２２１を設けるか否か、また担当者がこの欄に記入するか否かは任意である。
そして、表示された見積もり内容を承認する場合には承認ボタン２２３を指示し、承認しないで再度見積もりを依頼する場合には再見積ボラン２２４が指示され、これによりセンタ装置１へ通知されることとなる。
【００６１】
見積処理部１８は、この要求に対して、会員が見積内容を承認し事故報告書の提出指示（ＯＫ）をしたか、あるいは承認しない（ＮＧ）旨のいずれの回答がされたかを判別する（Ｓ１１０）。
判別の結果、会員が見積もり内容を承認せずに、再見積もりを要求してきた場合には、Ｓ１０９の処理に戻って、再度担当者に対して見積もり入力を要求する。
【００６２】
引き続き図１０を参照して、Ｓ１１０の判別の結果、会員が見積もり内容を承認した（ＯＫ）場合には、報告書作成処理部１９が会員からの報告内容及び見積内容に基づいて、保険会社へ提出する事故報告書データを作成する（Ｓ１１１）。
この事故報告書の作成は、報告書作成処理部１９が、図５に示した事故報告書フォーマットの対応する入力項目に当てはめるとともに、会員が撮影した写真データと、会員に承認された見積書を添付して事故報告書を作成する。
【００６３】
事故報告書が作成されると、出力処理部２０が作成された事故報告書データを、インターネットなどの通信を介して保険会社装置３へ送信出力する（Ｓ１１２）。これにより、保険会社への事故報告が完了することとなる。
また、見積処理部１８は、作成した見積内容を見積データベース１３に記憶して（Ｓ１１３）、処理を終了する。
【００６４】
このように、上述の実施形態によれば、会員は自分が加入している保険会社やその保険会社の事故受付窓口の電話番号などを覚えておかなくとも、センタ装置１へ連絡するだけで簡単に保険会社の事故報告先の電話番号や、事故報告フォーマットを取得することができる。したがって、会員はセンタ装置１の連絡先だけを覚えておけばよいから、自動車保険、住宅総合保険、火災保険など複数の保険に加入していたとしても、なにか事故が起きたときはすべてセンタ装置１へ連絡すればよいこととなり、手続が非常に簡潔になる。
【００６５】
また、センタ装置１側で事故報告書を作成してくれるため、煩わしかった報告書の作成を行わなくてすむし、またその報告書作成にあたってもセンタ装置１から要求された事故報告フォーマットにしたがって入力するだけでよいから、専門的な知識を必要とせず簡単に事故報告書を作成することができる。そのため、特に、従来手間がかかるため保険金の請求をしていなかった小額の事故（例えば、ガラスを割っり、自転車を壊したなど）であっても、会員は簡単に保険金を請求することができる。
【００６６】
また、センタ装置１から保険会社装置３へ事故報告書を送信するようにしたことから、会員は事故報告書を郵送する手間がなくなるし、また保険会社としても事故報告書を電子的にしょりすることができ、作業効率を高めることができる。
【００６７】
また、センタ装置１側でまとめて見積もりを行うようにしたことから、会員側でいちいち業者を探して見積もりを依頼する必要がなく、会員は現場写真などの事故内容を報告するだけでよいから、手間が省け、非常に効率的に事故報告書を作成することができる。
【００６８】
また、見積内容を一旦会員に確認してから保険会社へ提出するようにしたことから、従来のように業者や調査会社などが一方的に決めるのではなく、会員が納得した金額で損害額を算定することができる。
【００６９】
また、見積内容を見積履歴データベース１３に記憶しておくようにしたことから、センタ装置１側で見積もりを行う場合に過去のデータを参照して見積もりを行うことができるし、また過去の見積内容をを会員が参照することで、これから報告を行う事故に対する大体の損害額を予測することができる。
また、どの保険会社がどのような損害に対して、保険金額を支払ったのかを見ることができ、会員が加入する保険会社を選択する時の参考にもすることができる。
【００７０】
また、メール配信部１４により、会員に対して、保険金の支払い対象となる事故の情報と共に、センタ装置１の事故報告受け付け先の電話番号又は電子メールアドレスなどの連絡先情報含む電子メールを配信するようにしたことから、どのような事故が実際に保険金支払いの対象となっているかを会員が普段から知ることができる。また、事故が発生したときは、このメールに記載されているセンタ装置１の連絡先に連絡すればよいから、別途センタ装置１への連絡先を控えておく必要がなく、いざというときに連絡先を忘れてしまうことを防止できる。
【００７１】
また、会員のカメラ付携帯電話端末２で事故現場を撮影し、携帯電話端末２から事故内容の報告ができるようにしたことから、事故現場で即位時に事故報告をすることができる。
なお、携帯電話端末２に代えて、通信機能を持ったカメラ付きの移動端末（たとえば、ＰＤＡ端末）などであってもよい。
【００７２】
なお、上述の実施形態では、事故が発生した場合、電話でセンタ装置１に連絡する例について説明したが、これに限らず電子メールで連絡するようにしてもよい。この場合、会員データベース１１に会員が保有している電子メールアドレス（携帯電話端末２の電子メールアドレス等）を記憶しておき、事故報告受付部１５が受信した電子メールの送信元の電子メールアドレスから会員を特定するようにすればよい。これによっても、上述の例と同様な効果を奏することができる。
【００７３】
上記例は、出力処理部２０が事故報告書をネットワークを介して直接保険会社装置３へ送信する例について説明したが、事故報告書を会員が保持している携帯電話端末２やそのほかの会員の端末へ送信して、会員が保険会社へ事故報告書を送信又は郵送するようにしてもよい。
また、出力処理部２０が事故報告書を印刷して、これを会員へ郵送等により渡してもよい。
また、出力処理部２０が事故報告書をＦＡＸなどにより保険会社へ送信してもよい。
【００７４】
上述の例に加えて、会員側で見積もりを行う業者の中から、所定の業者を選択して、見積もりを依頼するようにしてもよい。これにより、例えば、いつも依頼している修理業者や、また一番希望に合った見積もりをしてくれる業者を会員が選択できることとなる。また、センタ側では見積もりを行わずに会員が、例えば、いつも依頼している修理業者に依頼できるようにしてもよい。
上述の例では、センタ装置１が事故報告を行うだけでなく、会員からの要求に応じて、会員に修理業者を紹介するするようにしてもよい。これにより、会員は修理業者を自分で捜さなくともセンタ側で選定してくれることとなり、より一層利便性が向上する。
【００７５】
上述の例では、会員が加害者の場合について説明したが、これに限らず会員が被害者の場合であってもよい。また、自損事故や自然災害のように、加害者、被害者の区別がない場合でも、同様な処理により保険金の請求書処理を行うことができる。
また、上述の例では、会員制とした例について説明したが、本発明はこれに限定されるものではない。
【００７６】
上述のセンタ装置１の処理をコンピュータに対して実行させるコンピュータプログラムは、これをＣＤ−ＲＯＭなどの媒体に固定して、又はネットワークなどを通じて配信することで流通させることができる。
【図面の簡単な説明】
【００７７】
【図１】本発明にかかる事故報告処理システムの全体構成の一実施形態を示した概略図。
【図２】本実施形態にかかるセンタ装置の機能ブロック図。
【図３】会員データベースに記憶されるデータ項目の一例を示した図。
【図４】保険会社データベースに記憶されるデータ項目の一例を示した図。
【図５】事故報告書の一例を示した図。
【図６】見積データベースに記憶されるデータ項目の一例を示した図。
【図７】会員に配信される電子メールの一例を示した図。
【図８】システム全体の処理の流れを示した図。
【図９】センタ装置の詳細な処理の流れを示した図。
【図１０】センタ装置の詳細な処理の流れを示した別の図。
【図１１】事故報告を行う場合の画面の一例を示した図。
【図１２】現場写真送信画面の一例を示した図。
【図１３】見積通知画面の一例を示した図。
【符号の説明】
【００７８】
１        センタ装置
２        携帯電話端末
３        保険会社装置
４        修理業者端末
１１      会員データベース
１２      保険会社データベース
１３      見積履歴データベース
１４      メール配信処理部
１５      事故報告受付部
１６      事故対応情報処理部
１７      報告内容受付部
１８      見積処理部
１９      報告書作成処理部
２０      出力処理部
【図１】
2006190055.tif 000003
【図２】
2006190055.tif 000004
【図３】
2006190055.tif 000005
【図４】
2006190055.tif 000006
【図５】
2006190055.tif 000007
【図６】
2006190055.tif 000008
【図７】
2006190055.tif 000009
【図８】
2006190055.tif 000010
【図９】
2006190055.tif 000011
【図１０】
2006190055.tif 000012
【図１１】
2006190055.tif 000013
【図１２】
2006190055.tif 000014
【図１３】
2006190055.tif 000015